(57)【要約】      （修正有）【課題】長さ調整が極めて簡単且つ容易に行なえる柄の構造を提供する。【解決手段】外筒３とこの外筒に対して出退可能に設けた中筒４とこの中筒に対して出退可能に設けた内筒５とから構成され、外筒と中筒との間には、略Ｕ字状に弾性変形可能な剛性を有する帯部材７と、Ｕ字状に弾性変形させた前記帯部材の前記Ｕターン部分を案内するためのガイド部材８とから構成されて、外筒からの中筒の引き出し操作に伴い、内筒を中筒から突出させ、外筒への中筒の格納操作に伴い、内筒を中筒内に退入させる連動手段６が設けられ、前記帯部材は、その長さ方向一端部が前記外筒に連結されるとともに、長さ方向他端部が前記内筒に連結され、前記ガイド部材は前記中筒に組みつけられ、また前記ガイド部材が、前記帯部材の案内を促進させるためのガイドローラ８１を備えている。【選択図】図２
0003148439.tif 000002
【実用新案登録請求の範囲】
【請求項１】
外筒とこの外筒に対して出退可能に設けた中筒とこの中筒に対して出退可能に設けた内筒とから構成された柄の構造であって、外筒と中筒との間には、外筒からの中筒の引き出し操作に伴い、内筒を中筒から突出させ、外筒への中筒の格納操作に伴い、内筒を中筒内に退入させる連動手段が設けられていることを特徴とする柄の構造。
【請求項２】
前記連動手段が、略Ｕ字状に弾性変形可能な剛性を有する帯部材と、Ｕ字状に弾性変形させた前記帯部材の前記Ｕターン部分を案内するためのガイド部材とから構成され、前記帯部材は、その長さ方向一端部が前記外筒に連結されるとともに、長さ方向他端部が前記内筒に連結され、前記ガイド部材は前記中筒に組みつけられていることを特徴とする請求項１に記載の柄の構造。
【請求項３】
前記ガイド部材が、前記帯部材の案内を促進させるためのガイドローラを回転自由に備えていることを特徴とする請求項２に記載の柄の構造。
【請求項４】
前記柄の伸縮動作をロックするためのロック部材が設けられていることを特徴とする請求項１、２または３に記載の柄の構造。
【請求項５】
前記柄の長さ方向一端部には清掃部材が取り外し可能に設けられていることを特徴とする請求項１、２、３または４に記載の柄の構造。
【考案の詳細な説明】
【技術分野】
【０００１】
本考案は、主として自動車のボディやウインドガラスなどの清掃具に用いる柄の構造に関する。
【背景技術】
【０００２】
一般に、この種の清掃具は、柄の先端にブラシやスクレーパなどから構成される清掃部材を組みつけて成り、使用に際しては、柄を手で持って、清掃部材の先端部を自動車のボディやウインドガラスなどに接触させた状態で、柄を介して清掃部材の作動により、ボディやウインドガラスの表面を適宜清掃するようにしている。
ところで以上の清掃具では柄の長さを任意変更できるようにするのが好ましいのであるが、柄の長さを変更可能とする柄として従来では、例えば柄を外筒とこの外筒内に出退可能に設けた中筒とこの中筒内に出退可能に設けた内筒とから構成したものが提案されている。（特許文献１参照）
しかしながら、以上の柄では、柄を長くする場合、外筒に対して中筒を引き出すとともに、さらに中筒に対して内筒を引き出す操作を必要とするものであり、逆に長くした柄を短くする場合にも  内筒を中筒内に収めるとともに、中筒を外筒内に収める操作を必要とするのであって、そのため、柄の長さ調整に手間を要する。
【特許文献１】特開平９−１７２８６７号
【考案の開示】
【考案が解決しようとする課題】
【０００３】
本考案は、以上の実情に鑑みて開発したものであって、目的とするところは、柄の長さ調整が極めて簡単且つ容易に行なえる柄の構造を提供することにある。
【課題を解決するための手段】
【０００４】
以上の目的を達成するために、請求項１に記載の考案は、外筒とこの外筒に対して出退可能に設けた中筒とこの中筒に対して出退可能に設けた内筒とから構成された柄の構造であって、
外筒と中筒との間には、外筒からの中筒の引き出し操作に伴い、内筒を中筒から突出させ、外筒への中筒の格納操作に伴い、内筒を中筒内に退入させる連動手段が設けられていることを特徴とする。
請求項２に記載の考案は、請求項１に記載の連動手段が、略Ｕ字状に弾性変形可能な剛性を有する帯部材と、Ｕ字状に弾性変形させた前記帯部材の前記Ｕターン部分を案内するためのガイド部材とから構成され、前記帯部材は、その長さ方向一端部が前記外筒に連結されるとともに、長さ方向他端部が前記内筒に連結され、前記ガイド部材は前記中筒に組みつけられていることを特徴とする。
【０００５】
請求項３に記載の考案は、請求項２に記載の前記ガイド部材が、前記帯部材の案内を促進させるためのガイドローラを回転自由に備えていることを特徴とする。
請求項４に記載の考案は、請求項１、２または３に記載の柄の構造において、柄の伸縮動作をロックするためのロック部材が設けられていることを特徴とする。
【０００６】
請求項５に記載の考案は、請求項１、２、３または４に記載の柄の構造において、柄の長さ方向一端部には清掃部材が取り外し可能に設けられていることを特徴とする。
【考案の効果】
【０００７】
請求項１または２に記載の考案によれば、中筒を外筒から抜き出す方向にスライド操作するだけで、内筒も中筒から同時に自動的に突出するし、また中筒を外筒内に格納する方向にスライド操作するだけで、内筒も中筒内に同時に自動的に退入するので、全体として、柄を極めて簡単且つ容易に所望の長さに延ばしたり縮めたりすることができる。
【０００８】
請求項３に記載の考案によれば、請求項１または２に記載の考案の効果に加えて、ガイドローラの回転により、帯部材の押し引き動作がスムーズに行なえて、柄の伸縮が円滑且つ確実に行なえる。
【０００９】
請求項４に記載の考案によれば、請求項１、２または３に記載の考案の効果に加え、ロック部材により柄の伸縮をロックすることが出来るので、柄が不用意に伸縮することがない。
【００１０】
請求項５に記載の考案によれば、請求項１、２、３または４に記載の考案の効果に加え、清掃部材を柄から取り外して使用することが出来るので、それだけ清掃の作業範囲が広がる。
【考案を実施するための最良の形態】
【００１１】
以下、本考案にかかる柄を備えた清掃具の一実施形態を説明する。
先ず図１は、本考案にかかる柄を用いた清掃具の概略斜視図、
図２は、柄の一部を省略して示す拡大断面図、
図３は、柄の要部の拡大断面図、
図４は、柄を途中まで延ばした状態の概略斜視図、
図５は、柄を最大限延ばした状態の概略斜視図、
図６は、最大限延ばした状態の柄の一部を省略して示す拡大断面図である。
【００１２】
以上の図において符号１で示す清掃具は、主として自動車のボディやウインドガラスを清掃するためのものである。
この清掃具１は、基本的には、本考案にかかる柄２と、この柄２の長さ方向一端部に組みつけられる第１清掃部材１１と、同じく柄の長さ方向他端部に組みつけられる第２清掃部材１２とから構成されている。
第１清掃部材１１は、柄２の長さ方向一端部に固定されたホルダー１１ａの幅方向一端部に組みつけられた合成ゴム製の水切りブレード１１ｂと、幅方向他端部に組み付けられたブラシ１１ｃとから構成されている。
第２清掃部材１２は、ウィンガラスに付着した霜や氷を掻き落とすためのスクレーパ１２ａから構成されている。
次に本考案にかかる柄２を説明する。
図に示す柄２は、基本的には、外筒３と、この外筒３内に収納されるとともにこの外筒３に対して出退可能に設けた中筒４と、この中筒４内に収納されるとともにこの中筒４に対して出退可能に設けた内筒５から構成されており、これら各筒３・４・５は、円筒状のステンレス製パイプから形成されている。
前記した外筒３の長さ方向一端部には、筒状に形成された保持筒３１が組み付けられ、また前記した中筒４の長さ方向一端部には、筒状に形成されたグリップ部材４０が組み付けられている。
尚、前記した第１清掃部材は、内筒５の長さ方向一端に組み付けられ、また第２清掃部材は、外筒３の長さ方向一端に組み付けられている。
また以上の柄２には、外筒３に対する中筒４の出退操作、具体的には、外筒３内からの中筒４の引き出し操作に伴い、内筒５を中筒４から突出させるとともに、外筒３内への中筒４の格納操作に伴い、内筒５を中筒４内に退入させる連動手段６が設けられている。
図に示す連動手段６は、略Ｕ字状に弾性変形可能な剛性を有する帯部材７と、Ｕ字状に弾性変形させた前記帯部材７のＵターン部分を案内するためのガイド部材８が備えられている。
【００１３】
帯部材７は、既存の巻尺などで使用されている押し引き可能な鋼材、具体的には炭素工具鋼第５種（ＳＫ８５）からなるスチール製帯状鋼材の表面にポリエステル樹脂塗料を焼き付け塗装したものが用いられている。
【００１４】
この帯状部材７は、その長さ方向一端が外筒３の長さ方向一端部内面に連結され、また途中でＵターンさせた長さ方向他端が内筒５の長さ方向一端部内面にそれぞれ連結されている。
【００１５】
一方、ガイド部材８は、帯部材７の案内を促進させるためのガイドローラ８１と、このガイドローラ８１を回転自由に支持する支持体８２が備えられ、支持体８２には、ガイドローラ８１の外周面に対して所定の隙間を開けて対向し、前述の帯部材７のＵターン部分を案内する湾曲状のガイド面８３が設けられている。
【００１６】
このガイド部材８は、中筒４の長さ方向一端部に固定されて、前記ガイドローラ８１に帯部材７の途中が掛け渡されることで、この帯部材７を途中でＵターンさせている。
また前記したグリップ部材４０と内筒５との間には、柄２の伸縮動作をロックするためのロック部材９が設けられている。
このロック部材９は、図３にも示すように、内筒５の長さ方向一端側に設けた複数の係止孔９１と、前記係止孔９１に係合可能な係合ピン９４を備えたロック体９２が備えられている。
複数の係止孔９１は、内筒５の長さ方向一端側においてこの内筒５の長さ方向に対して所定間隔毎に開設されている。
ロック体９２は、図３に示すように、枢軸９３を介してグリップ部材４０の一端側に揺動可能に支持されており、このロック体９２には、枢支軸９３を挟んで、前記係止孔９１に係合可能な係合ピン９４と、この係合ピン９４が係止孔９１に係合する方向にロック体９２を揺動付勢させるためのスプリング９５とが設けられている。
【００１７】
以上の構成から成る柄２を備えた清掃具１の使用に際して、短くした柄２を延ばしたい場合は、中筒４と外筒３をそれぞれ手で握るとともに、中筒４を握った手の指でロック体９２を押して、係合ピン９４と係止孔９１との係合を解除することで、ロック部材９によるロック動作を解除した上で、中筒４を外筒３から引き出す方向（図２において矢印Ｘ方向）にスライドさせるのである。
【００１８】
そして中筒４が外筒３から引き出されるに伴って、帯部材７が図２において矢印Ｗ１方向に移動して、この帯部材７により内筒５が中筒４に対して突出する方向に押し出されるのである。
【００１９】
この時、帯部材７のＵターン部分は、支持体８２のガイド面８３によりスムーズに案内される。
【００２０】
しかる後、ロック体９２の押し操作を解除して、係合ピン９４を所望の係止孔９１に係合させることで、柄２を所望の長さに維持することが出来、柄２が不用意に延び縮みすることがない。
【００２１】
斯くして、以上の柄２では、中筒４を外筒３から抜き出す方向にスライド操作するだけで、内筒５も中筒４から自動的に突出するので、柄２を極めて簡単且つ容易に所望の長さに延ばすことができる。
【００２２】
一方、長く伸ばした柄２を短くする場合には、中筒４と外筒３をそれぞれ手で握るとともに、中筒４を握った手の指でロック体９２を押して、係合ピン９４と係止孔９１との係合を再度解除することで、ロック部材９によるロック動作を解除した上で、中筒４を外筒３内に格納する方向（図６において矢印Ｙ方向）にスライドさせるのである。
【００２３】
そして中筒４が外筒３内に格納されるに伴って、帯部材７が図６において矢印Ｗ２方向に移動して、この帯部材７により内筒５が中筒４に対して格納される方向に引き戻されるのである。
この時、帯部材７のＵターン部分は、帯部材７が圧接しているガイドローラ８１の回転によりスムーズに案内される。
【００２４】
しかる後、ロック体９２の押し操作を解除して、係合ピン９４を所望の係止孔９１に係合させることで、短くした柄２が不用意に延びることがない。
【００２５】
斯くして、以上の柄２では、中筒４を外筒３内に格納する方向にスライド操作するだけで、内筒５も中筒４内に自動的に退入するので、柄２を極めて簡単且つ容易に縮めることができる。
【００２６】
また以上の清掃具１では、第２清掃部材１２を柄２から取り外せるので、この第２清掃部材１２を単独で使用することが出来、それだけ清掃の作業範囲が広がる。
以上の実施形態では、本考案にかかる柄２を清掃具１に適用したが、これに限定されるものではなく、例えば、柄を備えた高所作業用工具類に適用することも出来る。
【図面の簡単な説明】
【００２７】
【図１】本考案にかかる柄を用いた清掃具の概略斜視図。
【図２】同、一部を省略して示す拡大断面図。
【図３】同、要部の拡大断面図。
【図４】同、柄を途中まで延ばした状態の概略斜視図。
【図５】同、柄を最大限延ばした状態の概略斜視図。
【図６】柄を最大限延ばした状態の柄の一部を省略して示す拡大断面図。
【符号の説明】
【００２８】
１      清掃具
１１    第１清掃部材
１２    第２清掃部材
２      柄
３      外筒
４      中筒
５      内筒
６      連動手段
７      帯部材
８      ガイド体
８１    ガイドローラ
８２    支持体
９      ロック部材
９１    係止孔
９２    ロック体
９４    係合ピン
【図１】
0003148439.tif 000003
【図２】
0003148439.tif 000004
【図３】
0003148439.tif 000005
【図４】
0003148439.tif 000006
【図５】
0003148439.tif 000007
【図６】
0003148439.tif 000008